(57)【特許請求の範囲】
【請求項１】
駆動源により駆動されて外形が拡大、縮小する可動部材を有する遊技機において、
前記可動部材には、
ベース部と、
前記ベース部に前側から重ねられ、前記駆動源からの動力を受けて前記ベース部に対して前後方向に移動する中央進退部と、
前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、
前記可動部材は、前記ベース部の前面と平行な基準面に沿って第１位置と第２位置との間を移動し、
前記拡縮変形部は、前記可動部材が前記第１位置に配置されたときに前記収縮姿勢となる一方、前記可動部材が前記第２位置に配置されたときに前記拡張姿勢となり、
前記可動部材が前記第１位置と前記第２位置との間を移動する途中で、前記可動部材に前側から重ねられる重なり演出部材を備え、
前記可動部材は、前記拡縮変形部が前記拡張姿勢となった状態で前記重なり演出部材の後側を通過することを特徴とする遊技機。
【請求項２】
前記拡縮変形部は、前記拡張姿勢では、前記中央進退部から側方に張り出す一方、前記収縮姿勢では、前記中央進退部に引き寄せられるように折れ曲がることを特徴とする請求項１に記載の遊技機。
【請求項３】
前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、
前記可動部材には、前記中央進退部と前記内側回動部材とに回動可能に連結されて前記中央進退部からの動力を前記内側回動部材に伝達する中継部材が設けられたことを特徴とする請求項２に記載の遊技機。
【請求項４】
前記ベース部には、前記中央進退部から後側に突出する後方シャフトを直動可能に支持する直動支持孔が形成されると共に、
前記可動部材には、前記外側回動部材の張出方向における先端部を前記ベース部の前面に沿って前記直動支持孔の径方向に案内する直動ガイドが設けられたことを特徴とする請求項３に記載の遊技機。
【請求項５】
前記中継部材は、前記中央進退部が前記前進位置に配置されたときには、前記中央進退部の後側に位置して前記内側回動部材の張出方向における先端部を前記中央進退部側へ引き寄せる一方、前記中央進退部が前記後退位置に配置されたときには、前記中央進退部から側方に突出して前記内側回動部材の張出方向における先端部を前記中央進退部から遠ざかる側に押し出すことを特徴とする請求項３又は４に記載の遊技機。
【請求項６】
前記拡縮変形部が前記収縮姿勢になったときに、複数の前記外側回動部材と前記中央進退部とが前記ベース部から前側に隆起したドーム体を構成し、前記内側回動部材と前記中継部材とが前記ドーム体の内側に収容されることを特徴とする請求項３乃至５のうち何れか１の請求項に記載の遊技機。
【請求項７】
前記可動部材は、前記中央進退部を中心にして回転可能に構成されたことを特徴とする請求項１乃至６のうち何れか１の請求項に記載の遊技機。
【発明の詳細な説明】
【技術分野】
【０００１】
本発明は、駆動源により駆動される可動部材を有する遊技機に関する。
【背景技術】
【０００２】
従来、この種の遊技機として、可動部材の外形を拡大、縮小させて、可動部材を拡張状態と収縮状態とに変化させるものが知られている（例えば、特許文献１参照）。
【先行技術文献】
【特許文献】
【０００３】
【特許文献１】特開２０１４−３９６９２号公報（［０１１３］、図２０〜図２３）
【発明の概要】
【発明が解決しようとする課題】
【０００４】
しかしながら、上述した従来の遊技機では、拡張状態における可動部材が嵩張るため、可動部材の設置スペースを確保することが難しく、可動部材の配置の自由度が低いという問題あった。
【０００５】
本発明は、上記事情に鑑みてなされたもので、外形が拡大、縮小する可動部材の配置の自由度を向上させることが可能な遊技機の提供を目的とする。
【課題を解決するための手段】
【０００６】
上記目的を達成するためになされた請求項１の発明は、駆動源により駆動されて外形が拡大、縮小する可動部材を有する遊技機において、前記可動部材には、ベース部と、前記ベース部に前側から重ねられ、前記駆動源からの動力を受けて前記ベース部に対して前後方向に移動する中央進退部と、前記中央進退部の回りに複数配置され、前記中央進退部が前記ベース部から最も離れた前進位置に配置されたときに収縮姿勢となる一方、前記中央進退部が前記ベース部に最も近づく後退位置に配置されたときに前記収縮姿勢よりも前後方向に薄く且つ前記中央進退部の外側に突出した拡張姿勢となる拡縮変形部と、が備えられ、前記可動部材は、前記ベース部の前面と平行な基準面に沿って第１位置と第２位置との間を移動し、前記拡縮変形部は、前記可動部材が前記第１位置に配置されたときに前記収縮姿勢となる一方、前記可動部材が前記第２位置に配置されたときに前記拡張姿勢となり、前記可動部材が前記第１位置と前記第２位置との間を移動する途中で、前記可動部材に前側から重ねられる重なり演出部材を備え、前記可動部材は、前記拡縮変形部が前記拡張姿勢となった状態で前記重なり演出部材の後側を通過することを特徴とする遊技機である。
【０００７】
請求項２の発明は、前記拡縮変形部は、前記拡張姿勢では、前記中央進退部から側方に張り出す一方、前記収縮姿勢では、前記中央進退部に引き寄せられるように折れ曲がることを特徴とする請求項１に記載の遊技機である。
【０００８】
請求項３の発明は、前記拡縮変形部には、前記ベース部に回動可能に連結されると共にその回動中心から前記中央進退部から遠ざかる側に張り出した内側回動部材と、前記内側回動部材の張出方向における先端部に回動可能に連結されて前記中央進退部から遠ざかる側に張り出した外側回動部材と、が備えられ、前記可動部材には、前記中央進退部と前記内側回動部材とに回動可能に連結されて前記中央進退部からの動力を前記内側回動部材に伝達する中継部材が設けられたことを特徴とする請求項２に記載の遊技機である。
【０００９】
請求項４の発明は、前記ベース部には、前記中央進退部から後側に突出する後方シャフトを直動可能に支持する直動支持孔が形成されると共に、前記可動部材には、前記外側回動部材の張出方向における先端部を前記ベース部の前面に沿って前記直動支持孔の径方向に案内する直動ガイドが設けられたことを特徴とする請求項３に記載の遊技機である。
【００１０】
請求項５の発明は、前記中継部材は、前記中央進退部が前記前進位置に配置されたときには、前記中央進退部の後側に位置して前記内側回動部材の張出方向における先端部を前記中央進退部側へ引き寄せる一方、前記中央進退部が前記後退位置に配置されたときには、前記中央進退部から側方に突出して前記内側回動部材の張出方向における先端部を前記中央進退部から遠ざかる側に押し出すことを特徴とする請求項３又は４に記載の遊技機である。
【００１１】
請求項６の発明は、前記拡縮変形部が前記収縮姿勢になったときに、複数の前記外側回動部材と前記中央進退部とが前記ベース部から前側に隆起したドーム体を構成し、前記内側回動部材と前記中継部材とが前記ドーム体の内側に収容されることを特徴とする請求項３乃至５のうち何れか１の請求項に記載の遊技機である。
【００１２】
請求項７の発明は、前記可動部材は、前記中央進退部を中心にして回転可能に構成されたことを特徴とする請求項１乃至６のうち何れか１の請求項に記載の遊技機である。
【発明の効果】
【００１５】
［請求項１の発明］
請求項１の発明では、中央進退部がベース部から最も離れた前進位置に配置されると、複数の拡縮変形部が収縮姿勢となり、可動部材の外形が縮小される。一方、中央進退部がベース部に最も近づく後退位置に配置されると、複数の拡縮変形部が中央進退部の外側に突出した拡張姿勢となり、可動部材の外形が拡大される。ここで、拡張姿勢の拡縮変形部は、収縮姿勢の拡縮変形部よりも前後方向に薄くなっているので、外形が拡大された可動部材の嵩張りを抑えることが可能となり、可動部材の配置の自由度を向上させることが可能となる。また、本発明では、可動部材がベース部と前面に沿って第１位置から第２位置へ移動すると、中央進退部が後退位置に配置されると共に、拡縮変形部が中央進退部から側方に張り出す拡張姿勢となる。従って、可動部材は、第２位置に配置されたときの方が第１位置に配置されたときよりも前後方向に薄くなる。これにより、第２位置に配置された可動部材が前後方向で他の部材と干渉することが抑制され、可動部材の配置の自由度を高めることが可能となる。しかも、本発明によれば、可動部材と重なり演出部材との前後方向の間隔を狭くしても、可動部材と重なり演出部材との干渉を避けつつ可動部材を重なり部材に重ねることが可能となる。これにより、可動部材と重なり演出部材が占めるスペースを前後方向に小さくすることが可能となる。
【００１６】
［請求項２の発明］
請求項２の発明では、拡縮変形部を簡易な構成とすることが可能となる。
【００１７】
［請求項３の発明］
請求項３の発明によれば、拡縮変形部が、ベース部に回動可能に連結された内側回動部材と、内側回動部材に回動可能に連結された外側回動部材と、を備えていて、中央進退部からの動力が中継部材を介して内側回動部材に伝達されるので、中央進退部の移動に伴って、内側回動部材と外側回動部材を回動させて、拡縮変形部を収縮姿勢と拡張姿勢に変化させることが可能となる。
【００１８】
［請求項４の発明］
請求項４の発明では、中央進退部がベース部材に形成された直動支持孔に直動可能に支持されるので、中央進退部の移動の安定化及び外側回動部材の移動の安定化が図られる。また、外側回動部材の張出方向における先端部、即ち、直動支持孔の径方向外側の端部は、直動ガイドによりベース部の前面に沿って直動支持孔の径方向に案内されるので、拡縮変形部の動作の安定化が図られる。
【００１９】
［請求項５の発明］
請求項５の発明によれば、中央進退部が前端位置に配置されると、中央進退部から内側回動部材へ動力を伝達する中継部材が、中央進退部の後側に配置されて内側回動部材を中央進退部側に引き寄せるので、縮小状態における可動部材の外形を小さくすることが可能となる。また、中央進退部が後端位置に配置されると、中継部材が、中央進退部から側方に張り出すことで、中央進退部の後端位置をベース部に接近させることが可能となるので、拡張状態における可動部材の外形を大きくすることが可能となる。このように、本発明によれば、拡張状態と縮小状態における可動部材の外形の差を大きくして、可動部材の拡縮にメリハリをつけることが可能となる。
【００２０】
［請求項６の発明］
請求項６の発明によれば、可動部材の外形が縮小されたときに、複数の拡縮変形部と中央進退部とが一体に形成されている印象を遊技者に与えることが可能となる。
【００２１】
［請求項７の発明］
請求項７の発明によれば、外形が拡大された可動部材が中央進退部を中心にして回転することで、周方向で隣り合う拡張変形部同士の間に形成される隙間を目立たなくすることが可能となる。
【図面の簡単な説明】
【００２４】
【図１】本発明の一実施形態に係る遊技機の正面図
【図２】遊技盤の正面図
【図３】機構枠の正面図
【図４】通常状態の第１可動役物装置の正面図
【図５】通常状態の第１可動役物装置の前方斜視図
【図６】通常状態の第１可動役物装置の後方斜視図
【図７】落下状態の第１可動役物装置の正面図
【図８】落下状態の第１可動役物装置の前方斜視図
【図９】第２可動部材が退避位置に配置されたときの第２可動役物装置の正面図
【図１０】第２可動部材が演出位置に配置されたときの第２可動役物装置の正面図
【図１１】（Ａ）第２可動部材が退避位置に配置されたときの第２可動役物装置の背面図、（Ｂ）第２可動部材が演出位置へ向かう途中の第２可動役物装置の背面図
【図１２】収縮状態の第２可動部材の（Ａ）正面図、（Ｂ）Ａ−Ａ断面図
【図１３】拡張状態の第２可動部材の（Ａ）正面図、（Ｂ）Ｂ−Ｂ断面図
【図１４】収縮状態の第２可動部材を模式的に示す図
【図１５】拡張状態の第２可動部材を模式的に示す図
【図１６】直動ガイドの（Ａ）平面図、（Ｂ）Ｃ−Ｃ断面図
【図１７】第２可動部材が第１中間位置に配置されたときの第１可動役物装置及び第２可動役物装置の正面図
【図１８】第２可動部材が拡張状態になったときの第１可動役物装置及び第２可動役物装置の正面図
【図１９】第２可動部材が第２中間位置に配置されたときの第１可動役物装置及び第２可動役物装置の正面図
【図２０】第２可動部材が演出位置に配置されたときの第１可動役物装置及び第２可動役物装置の正面図
【図２１】第２可動部材が退避位置に配置されたときの第１可動部材及び第２可動部材の側面図
【図２２】第２可動部材が第１可動部材の後側を通過するときの第１可動部材及び第２可動部材の側面図
【図２３】第２可動部材が第２中間位置に配置されたときの第１可動部材及び第２可動部材の側面図
【図２４】（Ａ）図２３における後方突部周辺の拡大図、（Ｂ）第２可動部材が演出位置に配置されたときの後方突部周辺の側面図
【図２５】変形例に係る直動ガイドの（Ａ）平面図、（Ｂ）Ｄ−Ｄ断面図
【発明を実施するための形態】
【００２５】
以下、本発明をパチンコ遊技機に適用した一実施形態を、図１〜図２４に基づいて説明する。図１に示すように、本実施形態の遊技機１０は、前面枠１０Ｚを前面に備え、その前面枠１０Ｚに形成されたガラス窓１０Ｗを通して、図２に示す遊技盤１１の前面に形成された遊技領域Ｒ１が視認可能になっている。遊技盤１１の後側には、図３に示す機構枠１７が取り付けられ、その機構枠１７には種々の装置が取り付けられている。
【００２６】
図１に示すように、前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球が遊技領域Ｒ１に向けて弾き出される。
【００２７】
図２に示すように、遊技盤１１の前面からは、遊技領域Ｒ１を包囲するガイドレール１２が突出している。ガイドレール１２は、遊技盤１１の外縁部を周回するように配置され、ガイドレール１２の下端部には、下方に膨むように湾曲し、流下する遊技球を受け止めて遊技領域Ｒ１の中央へと案内可能な湾曲ガイド部１２Ｇが備えられている。
【００２８】
遊技盤１１のうち遊技領域Ｒ１の中央には、表示開口１１Ｈが貫通形成されており、その表示開口１１Ｈに遊技盤１１の裏面側から表示装置１３が対向している。表示装置１３は、例えば、液晶モジュールで構成され、その前面が遊技に関する演出を行う表示画面１３Ｇとなっている。なお、詳細には、表示画面１３Ｇは、機構枠１７（図３参照）の後側から機構枠１７の開口部１７Ｋと遊技盤１１の表示開口１１Ｈを通して遊技者に視認可能となっている。
【００２９】
遊技盤１１の前面中央には、表示画面１３Ｇを囲むように表示装飾枠２３が取り付けられている。表示装飾枠２３は、遊技盤１１の前面側から表示開口１１Ｈに嵌め込まれて、表示開口１１Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００３０】
表示装飾枠２３の右側には、始動ゲート１８が設けられている。また、表示装飾枠２３の右下には、大入賞口１５と複数のサイド入賞口２１が設けられている。なお、複数のサイド入賞口２１は、始動ゲート１８の下方且つ大入賞口１５の右側に配置されている。
【００３１】
表示装飾枠２３の横方向中央の下方には、第１の始動入賞口１４Ａと第２の始動入賞口１４Ｂとが上下２段に並べて配置され、それら始動入賞口１４Ａ，１４Ｂの左側には、ガイドレール１２の湾曲ガイド部１２Ｇに沿って一般入賞口２０が複数設けられている。
【００３２】
遊技領域Ｒ１には、各入賞口１４Ａ，１４Ｂ，１５，２０，２１とは別に、特典（賞球）を付与することなく遊技領域Ｒ１の外側に排出するためのアウト口１６が設けられている。また、遊技領域Ｒ１には、遊技球の流下方向をランダムに変更するための図示しない障害釘が多数植設されている。なお、詳細には、本実施形態では、アウト口１６として、遊技領域Ｒ１の下端部中央に配置された中央アウト口１６Ａと、左側一般入賞口２０の左側に配置されたサイドアウト口１６Ｂの２種類が設けられている。
【００３３】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技盤１１の裏側に取り込まれ、例えば、１個の入球につき１０個の賞球が上皿２６に払い出される。
【００３４】
始動ゲート１８は、遊技球が潜って通過可能な門形構造をなしている。始動ゲート１８を遊技球が通過すると、普通図柄の当否判定が行われる。
【００３５】
第１の始動入賞口１４Ａは、ポケット構造をなして遊技球が１つずつ入球可能な大きさで上方に開口している。第２の始動入賞口１４Ｂは、遊技球が１つずつ入球可能な大きさで前方に開口し、回動扉１４Ｔによって開閉される。回動扉１４Ｔは、通常は、閉状態となっていて、上述した普通図柄の当否判定が当りになると、開状態となる。第１と第２の始動入賞口１４Ａ，１４Ｂに遊技球が入球（入賞）すると、例えば、１個の入球につ４個の賞球が上皿２６に払い出されると共に、特別図柄の当否判定が行われる。そして、特別図柄の当否判定が当りになると、通常の遊技状態から大当り遊技状態へ移行し、大当り遊技が実行される。
【００３６】
大入賞口１５は、横長矩形状をなし、通常の遊技状態では、可動扉１５Ｔにて閉塞されている。そして、遊技状態が大当り遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００３７】
なお、各入賞口１４Ａ，１４Ｂ，１５，２０，２１及びアウト口１６に取り込まれた遊技球は、球排出ダクト８０（図３参照）を介して遊技機１０の外部に排出され、図示しない球回収装置に回収される。
【００３８】
図３に示すように、本実施形態の遊技機１０は、上述した入賞口１４Ａ，１４Ｂ，１５・・や表示装置１３等のほかに、可動部材の動作により遊技に関する演出を行う２つの可動役物装置を機構枠１７に固定して備えている。２つの可動役物装置のうち一方の第１可動役物装置１１０Ｓは、第１可動部材１１０を図４に示す通常状態と図７に示す落下状態とに変化させる。第１可動部材１１０は、通常状態では表示画面１３Ｇの上部前方に寄せて配置され、落下状態では表示画面１３Ｇの全体を前側から覆うように配置される。また、２つの可動役物装置のうち他方の第２可動役物装置２１０Ｓは、遊技盤１１の前面と平行な基準面に沿って第２可動部材２１０を図９に示す退避位置と図１０に示す演出位置との間で移動させる。退避位置の第２可動部材２１０は表示画面１３Ｇの外側に配置され、演出位置の第２可動部材２１０は表示画面１３Ｇの中央寄り部分の前方に配置される。以下、第１可動役物装置１１０Ｓ及び第２可動役物装置２１０Ｓについて詳説する。
【００３９】
図４に示すように、第１可動役物装置１１０Ｓは、上下方向に直線状に延びた１対の昇降ガイド１３２，１３２を間隔をあけて横並びにして備え、それら１対の昇降ガイド部材１３２，１３２の間に第１可動部材１１０を差し渡した構造になっている。なお、１対の昇降ガイド部材１３２，１３２は、表示画面１３Ｇを左右方向に挟むように機構枠１７（図３参照）の左右の辺部に固定され、遊技盤１１及び表示装飾枠２３（図２参照）の後側に隠れるように配置されている。
【００４０】
図４及び図５に示すように、１対の昇降ガイド部材１３２，１３２のうち一方の昇降ガイド部材１３２には、第１可動部材１１０を上下動させるための昇降機構１３０が備えられている。本実施形態の例では、昇降機構１３０は、ボール螺子機構によって構成されていて、昇降ガイド部材１３２内で上下方向に延在するボール螺子１３３と、ボール螺子１３３と螺合した図示しないボールナットと、ボール螺子１３３を回転駆動する昇降用モータ１３４と、を備えている。
【００４１】
なお、詳細には、図６に示すように、昇降ガイド部材１３２には、第１可動部材１１０が通常状態のときに、第１可動部材１１０の下方への移動を許容する落下許容位置と、第１可動部材１１０の下方への移動を禁止する落下禁止位置と、に配置される落下用ストッパ１３９が備えられていて、落下用ストッパ１３９が落下禁止位置に配置されているときには、上述のボールナットがボール螺子１３３の下端寄り位置に配置される。そして、落下用ストッパ１３９が落下許容位置に配置されることにより、第１可動部材１１０が自重により落下する。
【００４２】
図６及び図７に示すように、第１可動部材１１０は、前後方向にずれて配置された前側落下部材１１１と後側落下部材１２１とがシート状の網体１４１を介して連絡された構造になっていて、通常状態では、前側落下部材１１１と後側落下部材１２１とは、前後に重ねられて、表示画面１３Ｇの上部前方に配置されている。
【００４３】
図６及び図８に示すように、前側落下部材１１１は、上方から見た形状が後側に開放したコの字状のフレーム部１１２と、フレーム部１１２の前面に固定された装飾プレート１１３と、を備え、フレーム部１１２のうち左右方向で対向する１対の支持対向壁１１２Ｔ，１１２Ｔ（図６及び図８には、一方の支持対向壁１１２Ｔのみが示されている。）が、昇降ガイド部材１３２，１３２に上下動可能に支持されている。１対の支持対向壁１１２Ｔ，１１２Ｔのうち一方の支持対向壁１１２Ｔには、昇降ガイド１３２に取り付けられた前側スライドレール１３５（図４参照）を上下動するスライダ１３６が固定されていて、そのスライダ１３６が、上述したボール螺子１３３（図５参照）と螺合する図示しないボールナットによって下方から受け止められている。
【００４４】
図６に示すように、後側落下部材１２１は、前後方向で対向した前面壁１２１Ａ及び後面壁１２１Ｂの上端部同士が天井壁１２１Ｃで連絡された構造になっていて、前面壁１２１Ａと後面壁１２１Ｂの側部が１対の昇降ガイド部材１３２，１３２に上下動可能に支持されている。詳細には、前面壁１２１Ａは後面壁１２１Ｂよりも横長に形成されていて、後面壁１２１Ｂは、前面壁１２１Ａの横方向の一端部（図６では左側の端部）に重ねて配置されている。そして、後面壁１２１Ｂの横方向の一端部と前面壁１２１Ａの横方向の他端部とがそれぞれ、昇降ガイド部材１３２，１３２に上下動可能に支持されている。
【００４５】
後側落下部材１２１は、昇降ガイド部材１３２に対し上下動自在に構成されていて、通常は、前側落下部材１１１により落下が防止されている。具体的には、図８に示すように、前側落下部材１１１の支持対向壁１１２Ｔの上端部には、後側落下部材１２１の前面壁１２１Ａに下方から当接可能な当接部１１５が設けられていて、前側落下部材１１１の当接部１１５が後側落下部材１２１の前面壁１２１Ａを下方から受け止めることで、後側落下部材１２１の落下が防止されている。
【００４６】
また、後側落下部材１２１は、前側落下部材１１１が下方へ移動したときに、昇降ガイド部材１３２に備えられた受止ストッパ１３７（図６参照）によって落下が防止される。具体的には、後側落下部材１２１の後壁１２１Ｂの側部は、昇降ガイド部材１３２に後側から重ねられ、昇降ガイド部材１３２の後面に形成された後側スライドレール１３８に支持されている。受止ストッパ１３７は、昇降ガイド部材１３２の後面から突出し、後側落下部材１２１の後壁１２１Ｂに下方から当接する。
【００４７】
このように、本実施形態では、後側落下部材１２１の可動ストロークは、前側落下部材１１１の可動ストロークよりも小さくなっている。ここで、前側落下部材１１１の可動ストロークの上端及び下端を「前側上端位置」及び「前側下端位置」と称し、後側落下部材１２１の可動ストロークの上端及び下端を「後側上端位置」及び「後側下端位置」と称することにすると、第１可動演出部材１１０は、前側落下部材１１１が前側上端位置に配置され且つ後側落下部材１２１が後側上端位置に配置されたときに通常状態（図４参照）となり、前側落下部材１１１が前側下端位置に配置され且つ後側落下部材１２１が後側下端位置に配置されたときに落下状態（図７参照）となる。
【００４８】
図７に示すように、網体１４１は、複数の糸１４２を格子状に張り巡らせて網地が構成された構造になっていて、四角形状の空洞部である網の目１４３を有している。また、網体１４１は、前側落下部材１１１の後面側で前側落下部材１１１に取り付けられた芯材１５０（図６参照）にロール状に巻き取られる。芯材１５０は、前側落下部材１１１における１対の支持対向壁１１２Ｔ，１１２Ｔの間に回転可能に支持されている。なお、図６では、網体１４１が省略して示されている。
【００４９】
網体１４１の巻き取り方向における芯材１５０と反対側の端部は、後側落下部材１２１に固定されている。そして、網体１４１は、前側落下部材１１１が下方へ移動して後側落下部材１２１から分離したときに、芯材１５０から繰り出されて、表示画面１３Ｇの前方を覆うように広げられる。ここで、本実施形態では、芯材１５０の内部に、芯材１５０を巻き取り方向へ回転付勢する回転付勢バネ（図示せず）が備えられていて、前側落下部材１１１が上方へ移動すると、芯材１５０が網体１４１を自動的に巻き取るようになっている。なお、本実施形態では、網体１４１は、天井壁１２１Ｃの上面に固定されて前面壁１２１Ａを前側から覆っている。
【００５０】
次に、第１可動役物装置１１０Ｓの動作について説明する。第１可動役物装置１１０Ｓは、常には、第１可動部材１１０を通常状態に保持し、所定の落下演出条件が成立すると、後側落下部材１２１と前側落下部材１１１を落下させる。具体的には、落下演出条件が成立すると、落下用ストッパ１３９（図６参照）が落下許容位置へ移動し、後側落下部材１２１及び前側落下部材１１１が昇降ガイド１３２に沿って一体に下降する。このとき、後側落下部材１２１は、下降の途中で、昇降ガイド部材１３２に備えられた受止ストッパ１３７にて下方から受け止められて、後側下端位置に位置決めされる。後側落下部材１２１が後側下端位置に位置決めされると、前側落下部材１１１が後側落下部材１２１から分離して下降し、後側落下部材１２１と前側落下部材１１１との間の間隔が広がっていく。
【００５１】
前側落下部材１１１が後側落下部材１２１から分離して下降すると、芯材１５０に巻き取られていた網体１４１が芯材１５０から繰り出されて、後側落下部材１２１と前側落下部材１１１との間に広げられる。そして、前側落下部材１１１が前側下端位置に配置されると、第１可動演出部材１１０が落下状態（図７参照）となる。
【００５２】
第１可動演出部材１１０が落下状態となった後、所定の落下演出終了条件が成立すると、第１可動役物装置１１０Ｓは、昇降用モータ１３４を駆動して前側落下部材１１１を上昇させる。前側落下部材１１１は上昇の途中で後側落下部材１２１を押し上げて後側落下部材１２１と一体に移動し、前側落下部材１１１と後側落下部材１２１とが前側上端位置と後側上端位置とに配置されると、第１可動部材１１０が通常状態（図４参照）へと戻る。このとき、網体１４１は、回転付勢バネ１５８の付勢力によって芯材１５０に巻き取られる。第１可動部材１１０が通常状態になると、落下用ストッパ１３９が落下禁止位置に配置され、昇降用モータ１３４がボールナット（図示せず）をボール螺子１３３の下端寄り位置まで下降させる。第１可動役物装置１１０Ｓの動作に関する説明は以上である。
【００５３】
次に、第２可動役物装置２１０Ｓについて説明する。第２可動役物装置２１０Ｓは、機構枠１７に固定された固定ベース２１１と、固定ベース２１１に回動可能に支持された基端アーム２１２と、基端アーム２１２に回動可能に支持された先端アーム２１３と、を備え、先端アーム２１３に上述の第２可動部材２１０が支持されている。
【００５４】
図１０及び図１９に示すように、固定ベース２１１は、Ｌ字状をなして機構枠１７の上辺部と左辺部とに重ねて固定され、第１可動部材１１０が通常状態のときに、その第１可動部材１１０と昇降ガイド１３２の後側に隠れるように配置される。なお、第１可動部材１１０が落下状態になると、固定ベース２１１は前方から視認可能となる。このため、本実施形態では、固定ベース２１１の前面と機構枠１７の上辺部の前面とには、同様の装飾が施されていて、固定ベース２１１が目立たないようになっている。
【００５５】
基端アーム２１２は、固定ベース２１１の下端部から側方へ片持ち梁状に張り出し、固定ベース２１１の下端部を前後方向に貫通する回転中心軸２１２Ｊを中心に回動する（図１１（Ａ）及び図１１（Ｂ）参照）。具体的には、基端アーム２１２は、固定ベース２１１から下方に直線状に延びて昇降ガイド部材１３２の後側に重ねられた基端アーム初期位置（図９参照）と、固定ベース２１１の下端部から右斜め下方に延びて表示画面１３Ｇの前方に露出した基端アーム作動位置（図１０参照）と、の間を回動する。なお、基端アーム２１２を駆動するための駆動源（図示せず）は固定ベース２１１に備えられている。
【００５６】
先端アーム２１３は、基端アーム２１２の先端部から側方へ片持ち梁状に張り出し、基端アーム２１２の先端部を前後方向に貫通する回転中心軸２１３Ｊを中心に回動する（図１１（Ａ）及び図１１（Ｂ）参照）。詳細には、先端アーム２１３は、基端アーム２１２が基端アーム初期位置付近に配置されているときにのみ回動する。
【００５７】
なお、先端アーム２１３の回動機構は以下のようになっている。即ち、先端アーム２１３の基端部には、図１１（Ａ）に示すように、基端アーム２１２の長手方向に沿って延びた棒状リンク２１４が回動可能に取り付けられていて、この棒状リンク２１４が固定ベース２１１に連結している。棒状リンク２１４は、基端アーム２１２に対して基端アーム２１２の回動半径方向に移動可能となっていて、通常は、基端アーム２１２の回動中心軸２１２Ｊの近傍に配置されている。そして、図１１（Ｂ）に示すように、棒状リンク２１４は、基端アーム２１２が基端アーム初期位置から回動すると、固定ベース２１１に備えた棒状リンクガイド部２１４Ｇに案内されて回動中心軸２１２Ｊから離れる側に移動する。棒状リンク２１４が回動中心軸２１２Ｊから離れる側へ移動すると、その移動に伴って先端アーム２１３が基端アーム２１２に対して回動する。
【００５８】
第２可動部材２１０は、先端アーム２１３の先端部に回転可能に支持されている。具体的には、図９及び図１１（Ａ）に示すように、先端アーム２１３の先端部には、前方から見て円形状をなす円盤部２１３Ａが設けられていて、第２可動部材２１０は、円盤部２１３Ａに前側から重ねられて円盤部２１３Ａの中心軸２１３Ｃ回りに回転する。
【００５９】
図１２（Ａ）及び図１３（Ａ）に示すように、第２可動部材２１０は、外形が縮小された収縮状態（図１２（Ａ）参照）と、外形が拡大された拡張状態（図１３（Ａ）参照）とに変化する。詳細には、第２可動部材２１０は、先端アーム２１３の円盤部２１３Ａに重ねられるベース盤２２１（本発明の「ベース部」に相当する。）と、ベース盤２２１の前方に配置された可動演出部２２２と、を備えている。ここで、ベース盤２２１の前面は遊技盤１１の前面と平行になっていて、前方から見て可動演出部２２２の外形が縮小されたときに第２可動部材２１０は収縮状態となり、前方から見て可動演出部２２２の外形が拡大されたときに第２可動部材２１０は拡張状態となる（図１２（Ｂ）及び図１３（Ｂ）参照）。以下、第２可動部材２１０の拡縮について説明する。
【００６０】
図１４及び図１５には、第２可動部材２１０の主要部が模式的に示されている。図１４に示されるように、第２可動部材２１０の可動演出部２２２には、ベース盤２２１の中央部に重ねられた中央進退部２２３と、中央進退部２２３の四方を取り囲むように配置された複数の拡縮変形部２３０と、が設けられている。
【００６１】
中央進退部２２３は、ベース盤２２１に対して前後方向（図１４及び図１５の上下方向）に移動して、図１４に示す前進位置と、図１５に示す後退位置とに配置される。具体的には、ベース盤２２１の中央部には、中央進退部２２３から後方に突出した後方シャフト２２３Ｓを直動可能に支持する直動支持筒２２４が形成されていて、後方シャフト２２３Ｓが駆動されて直動支持筒２２４の直動支持孔２２４Ａ内を前進、後退することで、中央進退部２２３が前後方向に移動するようになっている。このように、本実施形態では、中央進退部２２３がベース盤２２１に形成された直動支持筒２２４（詳細には、直動支持孔２２４Ａ）に直動可能に支持されているので、中央進退部２２３の移動の安定化が図られている。なお、図示はしないが、後方シャフト２２３Ｓの駆動源は先端アーム２１３に備えられている。
【００６２】
拡縮変形部２３０は、内側回動部材２３１と外側回動部材２３２とを回動可能に連結した構造になっている。内側回動部材２３１は、直動支持筒２２４の外側でベース盤２２１に回動可能に連結され、その連結部位から直動支持孔２２４Ａの径方向外側に張り出している。そして、内側回動部材２３１は、中央進退部２２３からの動力を受けて回動中心軸２３１Ｊの回りを回動し、ベース盤２２１と略平行になった内側倒伏位置（図１５参照）と、回動中心軸２３１Ｊから離れた側の端部がベース盤２２１から前方に持ち上げられた内側起立位置（図１４参照）とに配置される。
【００６３】
ここで、中央進退部２２３から内側回動部材２３１への動力伝達は、内側回動部材２３１と中央進退部２２３の両方に回動可能に連結された中継部材２３５によって行われる。具体的には、中継部材２３５は、中央進退部２２３の外縁部から後側に突出した連結突部２２３Ｔに一端部が連結され、内側回動部材２３１の張出方向における先端部（即ち、回動中心軸２３１Ｊから離れた側の端部）に他端部が連結されている。そして、中央進退部２２３が前進位置に配置されると、中継部材２３５は、中央進退部２２３の後側に位置して内側回動部材２３１の張出方向の先端部を中央進退部２２３側に引き寄せ、内側回動部材２３１を起立させる（図１４参照）。一方、中央進退部２２３が後端位置に配置されると、中継部材２３５は、中央進退部２２３から側方に突出し、内側回動部材２３１の張出方向の先端部を直動支持孔２２４Ａの径方向外側に押して、内側回動部材２３１を倒伏させる（図１５参照）。
【００６４】
図１４に示すように、外側回動部材２３２は、内側回動部材２３１の張出方向における先端部（即ち、内側回動部材２３１における回動中心２３１Ｊから離れた側の端部）に回動可能に連結され、その連結部位から直動支持孔２２４の径方向外側に張り出している。なお、本実施形態では、内側回動部材２３１における外側回動部材２３２との連結部位は、上述の中継部材２３５との連結部位よりも先端側に配置されている。
【００６５】
図１４及び図１５に示すように、外側回動部材２３２は、内側回動部材２３１の回動に伴って回動中心軸２３２Ｊの回りを回動する。そして、内側回動部材２３１が内側倒伏位置に配置されたときに、外側回動部材２３２は、ベース盤２２１と略平行になった外側倒伏位置に配置され（図１５参照）、内側回動部材２３１が内側起立位置に配置されたときに、外側回動部材２３２は、内側回動部材２３１との連結部位がベース盤２２１に対して前方に持ち上げられた外側起立位置に配置される（図１４参照）。そして、内側回動部材２３１と外側回動部材２３２が内側倒伏位置と外側倒伏位置に配置されたときに、拡縮変形部２３０は、ベース盤２２１と略平行になって中央進退部２２３から側方に張り出す拡張姿勢となり、可動演出部２２２の外形が拡大される（図１３（Ａ）参照）。また、内側回動部材２３１と外側回動部材２３２が内側起立位置と外側起立位置に配置されたときに、拡縮変形部２３０は、張出方向（直動支持孔２２４の径方向）の中間部が前側へ突出するように山状に折れ曲がって中央進退部２２３側へ引き寄せられた収縮姿勢となり、可動演出部２２２の外形が縮小される（図１２（Ａ）参照）。
【００６６】
ここで、本実施形態では、外側回動部材２３２の張出方向の先端部は、直動ガイド２２５によって、ベース盤２２１に沿って直動支持孔２２４Ａの径方向に案内されるようになっていて、これにより、外側回動部材２３２の回動の安定化が図られている。直動ガイド２２５は、ベース盤２２１に形成され、直動支持筒２２４から直動支持孔２２４の径方向外側に延びたガイド溝２２６（図１６（Ａ）参照）と、ガイド溝２２６に沿って直動するスライダ２２７と、を備えていて、このスライダ２２７に、外側回動部材２３２の先端部が回動可能に連結されている。
【００６７】
図１６（Ａ）及ぶ図１６（Ｂ）には、直動ガイド２２５の詳細が示されている。図１６（Ａ）に示すように、ガイド溝２２６は、ベース盤２２１の外縁部を残すようにベース盤２２１の外縁寄り位置まで延びていて、ベース盤２２１の外縁部には、スライダ２２７がガイド溝２２６から外側へ脱落することを防止するためのストッパ部２２８が形成されている。また、図１６（Ｂ）に示すように、ガイド溝２２６の前端開口縁からは、スライダ２２７の幅方向にガイド片２２６Ｈ，２２６Ｈが張り出し、それらガイド片２２６Ｈ，２２６Ｈがスライダ２２７の両側部に形成された係合凹部２２７Ａ，２２７Ａと凹凸係合している。
【００６８】
なお、本実施形態では、第２可動部材２１０が収縮状態になると、中央進退部２２３と複数の外側回動部材２３２とがベース盤２２１から前側に隆起したドーム体２４０を構成するし、複数の内側回動部材２３１と複数の中継部材２３５とがドーム体２４０の内側に収容される。ここで、中央進退部２２３と複数の外側回動部材２３２のうちドーム体２４０の外面を構成する部分には、同様の装飾（本実施形態では、サッカーボールの装飾）が施されていて、ドーム体２４０（中央進退部２２３と複数の外側回動部材２３２）が１つの部材で構成されているかのような印象を遊技者に付与可能となっている。
【００６９】
また、図１４に示すように、中継部材２３５には、中央進退部２２３と同様の装飾が施された隙間装飾部２３５Ａが備えられている。隙間装飾部２３５Ａは、第２可動部材２１０が収縮状態のときには、直動支持孔２２４Ａの径方向外側を向くように配置され（図１４参照）、第２可動部材２１０が拡張状態のときには、前側を向いて中央進退部２２３と内側回動部材２３１との間の隙間を埋めるように配置される（図１５参照）。そして、本実施形態では、中継部材２３５の隙間装飾部２３５Ａによって、第２可動部材２１０が拡張状態となったときに中央進退部２２３と外側回動部材２３２との間に生じる隙間を目立たなくすることが可能になると共に、中央進退部２２３の外形が拡大したかのように見せることが可能となる。
【００７０】
第２可動部材２１０の拡縮に関する説明は以上である。このように、第２可動役物装置２１０Ｓは、第２可動部材２１０を、図９に示す退避位置と図１０に示す演出位置との間で移動させると共に、第２可動部材２１０を先端アーム２１３に対して回転させ、さらに、第２可動部材２１０を、外形が拡大した拡張状態と外形が縮小した収縮状態とに変化させることが可能となっている。
【００７１】
ところで、本実施形態の遊技機１０では、第１可動部材１１０と第２可動部材２１０の両方を駆動する複合役物演出を実行可能となっている。以下、図３及び図１７〜図２０を用いて複合役物演出の流れについて説明する。
【００７２】
複合役物演出では、まず、図３から図１７への変化に示すように、第２可動部材２１０が退避位置から演出位置へ向かって移動する。このとき、第２可動部材２１０は収縮状態のまま移動する。ここで、図１７には、機構枠１７に固定された図示しない直動ガイドに沿って横方向に直動可能な帯状部材２５０が示されている。帯状部材２５０は、第２可動部材２１０の移動に伴って、常に、先端アーム２１３の後側に配置されるように移動し、第２可動部材２１０が後側、即ち、表示画面１３Ｇ側へ移動することを規制する。
【００７３】
図１７から図１８への変化に示すように、第２可動部材２１０が退避位置と演出位置との間の第１中間位置に到達すると第２可動部材２１０は、収縮状態から拡張状態へと変化する。なお、図示はしないが、第２可動部材２１０は、拡張状態になると、先端アーム２１３に対して円盤部２１３Ａの中心軸２１３Ｃ（図１１（Ａ）参照）を中心として回転する。これにより、拡張状態の第２可動部材２１０において、周方向で隣り合う拡縮変形部２３０，２３０同士の間の隙間を目立たなくすることが可能となる。
【００７４】
第２可動部材２１０が拡張状態になると、図１８から図１９への変化に示すように、第１可動部材１１０が通常状態から落下状態へと変化する。なお、第２可動部材２１０は、拡張状態のまま、第１可動部材１１０の前側落下部材１１１と網体１４１の後側を通って演出位置へと移動する（図２２参照）。
【００７５】
ここで、図２１〜図２３に示すように、第２可動部材２１０を支持する先端アーム２１３の円盤部２１３には、後側に突出した後方突部２１５が設けられている。そして、第２可動部材２１０が第１中間位置と演出位置との間の第２中間位置へ到達すると、図２３に示すように、後方突部２１５が、第１可動部材１１０における後側落下部材１２１の後壁１２１Ｂに下方から当接する。
【００７６】
そして、図１９から図２０への変化に示すように、第２可動部材２１０が第２中間位置から演出位置へと移動すると、後方突部２１５が後側落下部材１２１を押し上げ（図２４（Ａ）から図２４（Ｂ）への変化を参照）、第２可動部材２１０と後側落下部材１２１とが一体になって移動する。このとき、後側落下部材１２１が後側下端位置（図７及び図２４（Ａ）参照）から後側上端位置（図４及び図２４（Ｂ）参照）まで移動する一方、前側落下部材１１１は前側下端位置（図７、図２４（Ａ）及び図２４（Ｂ）参照）に配置されたままとなり、網体１４１が前側落下部材１１１に対して上方に引っ張られる。
【００７７】
第２可動部材２１０が演出位置に到達した後、所定の複合役物演出終了条件が成立すると、複合役物演出が終了する。複合役物演出が終了すると、第１可動役物装置１１０Ｓ及び第２可動役物装置２１０Ｓは、上述した動作と反対の動作を行い、第１可動部材１１０を通常姿勢にすると共に、第２可動部材２１０を退避位置に配置する。
【００７８】
なお、本実施形態では、図２１に示すように、収縮状態における第２可動部材２１０と前側落下部材１１１とは、前後方向で一部重なるように配置されている。このため、第２可動部材２１０が収縮状態のときに第１可動部材１１０が落下状態へ変化すると、第２可動部材２１０と前側落下部材１１１とが衝突することになる。しかしながら、本実施形態の遊技機１０では、第２可動部材２１０は、前側落下部材１１１に後側から重ねられるときには、拡張状態となっているので、前側落下部材１１１との衝突を避けることが可能となっている。別の見方をすれば、本実施形態の遊技機１０では、第２可動部材２１０は、拡張状態のときに、前側落下部材１１１の後側に重ねられる構成となっているので、第２可動部材２１０と前側落下部材１１１との前後方向の嵩張りを抑えることが可能となり、限られたスペースに第２可動部材２１０及び第１可動部材１１０を配置することが可能となっている。
【００７９】
本実施形態の遊技機１０の構成に関する説明は以上である。なお、本実施形態では、第２可動部材２１０が本発明の「可動部材」に相当し、退避位置（図３及び図９参照）が本発明の「第１位置」に、演出位置（図１０及び図２０参照）が本発明の「第２位置」にそれぞれ相当する。また、本実施形態では、前側落下部材１１１が本発明の「重なり演出部材」に相当する。
【００８０】
次に、本実施形態の遊技機１０の作用効果について説明する。本実施形態の第２可動部材２１０では、中央進退部２２３が前進位置に配置されると、複数の拡縮変形部２３０が山状に折れ曲がって中央進退部２２３に引き寄せられた収縮姿勢となり、外形が縮小される（図１２及び図１４参照）。一方、中央進退部２２３が後退位置に配置されると、複数の拡縮変形部２３０が中央進退部２２３から側方へ直線状に張り出した拡張姿勢となり、第２可動部材２１０の外形が拡大される（図１３及び図１５参照）。従って、第２可動部材２１０は、外形が拡大された状態では、外形が縮小された状態よりも前後方向に薄くなる。これにより、外形が拡大された第２可動部材２１０の嵩張りを抑えることが可能となり、第２可動部材２１０の配置の自由度を向上させることが可能となる。
【００８１】
しかも、遊技機１０では、第２可動部材２１０が退避位置（図３及び図９参照）から演出位置（図１０及び図２０参照）へ移動すると、中央進退部２２３が後退位置に配置されると共に、拡縮変形部２３０が中央進退部２２３から側方に張り出す拡張姿勢となる。従って、第２可動部材２１０は、演出位置に配置されたときの方が退避位置に配置されたときよりも前後方向に薄くなる。これにより、演出位置に配置された第２可動部材２１０が前後方向で他の部材（前側落下部材１１１）と干渉することが抑制され、第２可動部材２１０の配置の自由度を高めることが可能となる。
【００８２】
また、本実施形態によれば、拡縮変形部２３０が拡張姿勢となるときに、中央進退部２２３から内側回動部材２３１へ動力を伝達する中継部材２３５が、中央進退部２２３から側方に張り出した状態となるので、中央進退部２２３の後端位置をベース盤２２１に接近させることが可能となる。これにより、拡張状態における第２可動部材２１０を前後方向に薄くすることが可能となる。
【００８３】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００８４】
（１）上記実施形態では、第２可動部材２１０が退避位置と演出位置との間を移動する構成であったが、所定の位置に固定された構成であってもよい。本構成においても、拡張状態となった第２可動部材２１０の前後方向の嵩張りを抑えることが可能となるので、第２可動部材２１０の配置の自由度を向上させることが可能となる。
【００８５】
（２）上記実施形態では、第２可動部材２１０が遊技盤１１の前面と平行な基準面に沿って回動するように移動していたが、当該基準面に沿って移動する構成であれば、例えば、直動する構成であってもよいし、蛇行する構成であってもよい。
【００８６】
（３）図２５（Ａ）及び図２５（Ｂ）に示すように、直動ガイド２２５は、ベース盤２２１Ｖの前面に形成されて直動支持孔２２４Ａの径方向に延びるガイド突条２２１Ｔと、ガイド突条２２１Ｔと係合する受容溝２２７Ｍを後面に有するスライダ２２７Ｖと、を備えた構成であってもよい。
【００８７】
（４）上記実施形態では、帯状部材２５０が第２可動部材２１０の移動に伴って移動する構成であったが、所定の位置に固定された構成であってよい。なお、この場合、演出位置の第２可動部材２１０の後側に帯状部材２５０を１つだけ配置されてもよいし、複数の帯状部材２５０を間隔をあけて配置して、任意の位置の第２可動部材２１０の後側に少なくとも１つの帯状部材２５０が配置されるようにしてもよい。
【００８８】
（５）上記実施形態では、本発明に係る「ベース部」が、盤状であったが、直方体状や球状であってもよい。
【００８９】
（６）上記実施形態の拡縮変形部２３０は、中央進退部２２３からの動力が内側回動部材２３１に伝達される構成であったが、外側回動部材２３２に伝達される構成であってもよい。具体的には、中継部材２３５が、中央進退部２２３（連結突部２２３Ｔ）と外側回動部材２３２とに連結される構成であってもよい。
【００９０】
（７）上記実施形態において、拡縮変形部２３０を蛇腹やパンタグラフで構成してもよい。
【符号の説明】
【００９１】
１０    遊技機
１１    遊技盤
１１０    第１可動部材
１１１    前側落下部材（重なり演出部材）
２１０    第２可動部材（可動部材）
２２１    ベース盤（ベース部）
２２３    中央進退部
２３０    拡縮変形部
２３１    内側回動部材
２３２    外側回動部材
２３５    中継部材
【要約】      （修正有）【課題】外形が拡大、縮小する可動部材の配置の自由度を向上させることが可能な遊技機を提供する。【解決手段】遊技機では、外形が拡大、縮小する第２可動部材に、ベース盤２２１と、ベース盤２２１の前側に位置して前後方向に移動する中央進退部２２３と、中央進退部２２３の周りに複数配置され、中央進退部２２３からの動力を受けて、中央進退部２２３から側方へ張り出した拡張姿勢と、中間部が前側へ突出するように山状に折れ曲がって中央進退部２２３側に引き寄せられた収縮姿勢と、に変化する拡縮変形部２３０と、を備えている。拡縮変形部２３０は、中央進退部２２３がベース盤２２１から最も離れた前進位置に配置されたときに収縮姿勢となる一方、中央進退部２２３がベース盤２２１に最も近づく後退位置に配置されたときに拡張姿勢となる。【選択図】図１５【図１】
0006043914.tif 000002
【図２】
0006043914.tif 000003
【図３】
0006043914.tif 000004
【図４】
0006043914.tif 000005
【図５】
0006043914.tif 000006
【図６】
0006043914.tif 000007
【図７】
0006043914.tif 000008
【図８】
0006043914.tif 000009
【図９】
0006043914.tif 000010
【図１０】
0006043914.tif 000011
【図１１】
0006043914.tif 000012
【図１２】
0006043914.tif 000013
【図１３】
0006043914.tif 000014
【図１４】
0006043914.tif 000015
【図１５】
0006043914.tif 000016
【図１６】
0006043914.tif 000017
【図１７】
0006043914.tif 000018
【図１８】
0006043914.tif 000019
【図１９】
0006043914.tif 000020
【図２０】
0006043914.tif 000021
【図２１】
0006043914.tif 000022
【図２２】
0006043914.tif 000023
【図２３】
0006043914.tif 000024
【図２４】
0006043914.tif 000025
【図２５】
0006043914.tif 000026